(57)【要約】【課題】本発明は、移動ステーションのユーザや通信網サービスの加入者を識別するのに使用する、ＳＩＭ（加入者識別モジュール）カードのような電子装置のチップカード用コネクタを提供する。【解決手段】コネクタとチップカードの間の電気接続は、接続用バネの可撓性部分（４Ａ）に固定した金属ボール（３Ａ）によって確立する。ボール（３Ａ）は、バネ（４Ａ）上に形成されたボールベッド上に溶接され、フレームの開口（３Ｂ）の縁部によって支持される。ボール（３Ａ）と縁部（３Ｂ）によって支持されることにより、チップカードをいくつかの方向からコネクタに挿入することができる。チップカードのホルダと電子装置の構成のみが設置方向を制限する。【選択図】図３
2010153392.tif 000002
【特許請求の範囲】
【請求項１】
チップカード用コネクタにおいて、絶縁性フレームと少なくとも一つの細長い導電性接続用バネ（４、７）とを具備しており、該接続用バネは前記チップカードの接触領域に接触するよう形成される接触部分を含んでいて前記接続用バネの長手方向に大幅に屈曲した形状を有しているチップカード用コネクタにおいて、接触するよう形成された前記接触部分（３Ａ、７Ａ）は長手方向と横断方向とに屈曲した形状を有しており、フレーム（１、５）は前記接触部分が前記チップカード（１７）の平面方向に運動すること、および前記接続用バネの横断方向に運動することを妨げるための少なくとも一つの支持部分（３Ｂ、８Ａ、８Ｂ）を具備しているチップカード用コネクタ。
【請求項２】
前記チップカード用コネクタの前記フレーム（１、５）が、前記接続用バネ（４、７）に電気的に接触するために、コネクタを回路盤（１９）に押圧するよう整形されたホルダ（２、６）を備えている請求項１に記載のチップカード用コネクタ。
【請求項３】
前記接続用バネ（４）が、
前記チップカードの前記接触領域（１８）に接触するために少なくとも一つの導電性表面を有しているボール（３Ａ）およびボールベッド（４ＡＡ）を備えた可撓性を有する部分（４Ａ）と、
前記フレーム（１）に固定される固定部分（４Ｂ）と、
前記回路盤の前記接触領域において電気的接触部を形成するために前記回路盤に対して押圧されるべき押圧部分（４Ｃ）と、
を具備する請求項１に記載のチップカード用コネクタ。
【請求項４】
前記フレーム（１）が開口（３Ｂ）を具備しており、該開口（３Ｂ）は前記導電性ボールを側方から前記接続用バネの長手方向に支持する請求項３に記載のチップカード用コネクタ。
【請求項５】
少なくとも前記ボール（３Ａ）の表面が、金属から形成されていて前記接続用バネ（４Ａ）の前記ボールベッド（４ＡＡ）の上方に浮かぶように配置されており、それにより前記ボールを支持している前記フレーム（１）の前記開口（３Ｂ）が前記ボールの直径よりも少なくとも一方向に小さいようになっている請求項３に記載のチップカード用コネクタ。
【請求項６】
前記ボール（３Ａ）が金属から形成されていて鑞付け部（４ＡＢ）によって前記接続用バネ（４Ａ）の前記ボールベッド（４ＡＡ）に固定されている請求項３に記載のチップカード用コネクタ。
【請求項７】
前記接続用バネ（７）が、
下方に屈曲させた板状端部（７ＡＡ）、側方に位置していて下方に屈曲させた凸型翼状部（７ＡＢ）、および板状フレーム（７ＡＣ）を含む可撓性凸型接触部分（７Ａ）と、
フレーム（５）に固定された固定部分（７Ｂ）と、
回路盤（１９）に対して押圧する押圧部分（７Ｃ）と、
を具備する請求項１に記載のチップカード用コネクタ。
【請求項８】
前記フレーム（５）が、前記接続用バネの前記可撓性を有する凸型接触部分（７Ａ）用に整形された開口（８）を有しており、該開口（８）が、前記端部（７ＡＡ）の幅にほぼ等しくて前記接続用バネの前記端部を側方から支持する幅狭部分（８Ａ）と、前記翼状部（７ＡＢ）のスパンの幅にほぼ等しくて前記接続用バネの前記翼状部を側方から支持する幅広部分（８Ｂ）とを具備している請求項７に記載のチップカード用コネクタ。
【請求項９】
電子装置において、チップカード（１７）の情報を読み取るプロセッサ（９）と、前記プロセッサ（９）のプログラムを保存しているメモリ（１０）と、前記チップカード（１７）に接続するためのチップカード用コネクタ（１１）と、操作者のために示されるべき情報を出力するための少なくとも一つの出力部材（１２、１４）と、操作者が使用する入力装置（１３）とを具備する電子装置において、前記チップカード用コネクタが絶縁性フレーム（１、５）と接続用バネ（４、７）とを具備しており、チップカードの接触領域（１８）上に接触するように設けられた少なくとも一つの前記接続用バネ（４、７）の一部分は少なくとも二つの方向に屈曲されており、前記フレーム（１、５）は、前記チップカード（１７）が平面方向に運動することおよび前記接続用バネ（４、７）が横断方向に運動することを妨げるために少なくとも一つの支持部分を具備している電子装置。
【請求項１０】
移動ステーションにおいて、加入者の識別用カード（１７）の識別情報を読み込むためのプロセッサ（９）と、該プロセッサ（９）のプログラムを保存するためのメモリ（１０）と、前記加入者の前記識別用カード（１７）に接続するための識別用カードのコネクタ（１１）と、操作者に示されるべき情報を出力するための少なくとも一つの出力部材（１２、１４）と、操作者が使用する入力装置（１３）と、無線通信網に接続するための送受信機（１５）およびアンテナ（１６）とを具備する移動ステーションにおいて、前記識別用カードのコネクタが絶縁性フレーム（１、５）と接続用バネ（４、７）とを備えており、前記チップカードの接触領域（１８）に接触するように設けられた少なくとも一つの接続用バネの一部分が少なくとも二つの方向に屈曲されており、前記フレーム（１、５）が、前記チップカード（１７）が平面方向に運動することと、前記接続用バネ（４、７）が横断方向に運動することとを妨げるために少なくとも一つの支持部を具備する移動ステーション。
【請求項１１】
前記接続用バネ（４、７）に電気的に接続するために、前記識別用カードのコネクタのフレーム（１、５）には、前記移動ステーションの内側シェル（２２）によって前記コネクタを回路盤（１９）に押圧するために整形されたホルダ（２、６）が備えられている請求項１０に記載の移動ステーション。
【請求項１２】
前記識別用カード用コネクタの前記接続用バネ（４）が、
前記チップカードの前記接触領域（１８）に接触するために少なくとも一つの導電性表面を有しているボール（３Ａ）およびボールベッド（４ＡＡ）を備えた可撓性を有する部分（４Ａ）と、
前記フレーム（１）に固定される固定部分（４Ｂ）と、
電気を通すために前記回路盤に対して押圧されるべき押圧部分（４Ｃ）と、
を具備する請求項１０に記載の移動ステーション。
【請求項１３】
前記フレーム（１）が開口（３Ｂ）を含み、該開口の縁部が導電性ボールを側方から前記接続用バネの長手方向に支持することを特徴とする、請求項１０に記載の移動ステーション。
【発明の詳細な説明】
【技術分野】
【０００１】
本発明は、チップカード、例えばＳＩＭ用（加入者識別モジュール、（Ｓｕｂｓｃｒｉｂｅｒ  Ｉｄｅｎｔｉｔｙ  Ｍｏｄｕｌｅ））カードを移動ステーションに接続するためのチップカード用コネクタ、および本発明のチップカード用コネクタを使用する移動ステーションに関する。
【背景技術】
【０００２】
チップカードは、電子装置、例えば移動ステーションに対して、例えば加入者の識別または情報の保存のために使用する。一般的に電子装置は、回路盤に溶接されたチップカードホルダと、チップカードに接続するために接続用バネを備えたコネクタとを有している。この目的のため、チップカードの接続表面は金メッキが施されており、この金メッキ済み接続表面によってチップカードの回路に対する電気接続部を形成することができる。
【先行技術文献】
【特許文献】
【０００３】
【特許文献１】特開平１０‐０６４６３８号公報
【特許文献２】実願昭４７‐１２００１号公報
【特許文献３】特開平１０‐３２１３２４号公報
【特許文献４】特願平１１‐１８７８１０号公報
【発明の概要】
【発明が解決しようとする課題】
【０００４】
従来技術の電子装置は、チップカードをバネに抗して直接的に取り付けるか、あるいは、ある方向から摺動させて所定の位置に取り付ける必要があるので、チップカードをホルダおよびコネクタに取り付けるのが困難であるという欠点を有している。
【課題を解決するための手段】
【０００５】
本発明の目的は、チップカードを可能な限り多数の方向から取り付けることができる新規なチップカード用コネクタを提供することである。
【０００６】
本発明は、チップカード用コネクタにおいて、絶縁性フレームと少なくとも一つの細長い導電性接続用バネとを具備しており、この接続用バネは前記チップカードの接触領域に接触するよう形成される接触部分を含んでいて前記接続用バネの長手方向に大幅に屈曲した形状を有しているチップカード用コネクタに関する。本発明によると、接触するよう形成された前記接触部分は長手方向と横断方向とに屈曲した形状を有しており、フレームは前記接触部分が前記チップカードの平面方向に運動すること、および前記接続用バネの横断方向に運動することを妨げている。
【０００７】
従って、接続部分を形成するために配置された接続用バネの一部は、チップカードが接続用バネの長手方向以外の方向からはめ込まれた場合にも、横方向、すなわち本質的にチップカードの面に対して直交する方向に可撓性を有している。
【０００８】
また、本発明は、電子装置において、チップカードの情報を読み取るプロセッサと、前記プロセッサのプログラムを保存しているメモリと、前記チップカードに接続するためのチップカード用コネクタと、操作者のために示されるべき情報を出力するための少なくとも一つの出力部材と、操作者が使用する入力装置とを具備する電子装置に関する。本発明によれば、前記チップカード用コネクタが絶縁性フレームと接続用バネとを具備しており、チップカードの接触領域上に接触するように設けられた少なくとも一つの前記接続用バネの一部分は少なくとも二つの方向に屈曲されており、前記フレームは、前記チップカードが平面方向に運動することおよび前記接続用バネが横断方向に運動することを妨げるために少なくとも一つの支持部分を具備している。
【０００９】
また、本発明は、移動ステーションにおいて、加入者の識別用カードの識別情報を読み込むためのプロセッサと、このプロセッサのプログラムを保存するためのメモリと、前記加入者の前記識別用カードに接続するための識別用カードのコネクタと、操作者に示されるべき情報を出力するための少なくとも一つの出力部材と、操作者が使用する入力装置と、無線通信網に接続するための送受信機およびアンテナとを具備する移動ステーションに関する。本発明によれば、前記識別用カードのコネクタが絶縁性フレームと接続用バネとを備えており、前記チップカードの接触領域に接触するように設けられた少なくとも一つの接続用バネの一部分が少なくとも二つの方向に屈曲されており、前記フレームが、前記チップカードが平面方向に運動することと、前記接続用バネが横断方向に運動することとを妨げるために少なくとも一つの支持部を具備する。
【００１０】
本発明によると、チップカードを少なくとも四つの水平方向から、または上方から取り付けることができる。これにより、チップカード用コネクタの設置方向が重要な要素でなくなるので、電子装置、例えば移動ステーションの設計者は電子装置をさらに自由に設計できるようになる。さらに、本発明によると、コネクタの下方に構成部分用のスペースが存在しないため、コネクタ用の回路盤上にはあまりスペースを必要としない。
【００１１】
本発明のコネクタは、製造コストが低く、電子装置に容易に取り付けることができる。コネクタを装置の組み立て時に自動的に取り付けることができる。
【００１２】
本発明の好ましい実施形態は、添付される特許請求の範囲に示されている通りである。
【図面の簡単な説明】
【００１３】
【図１】（ａ）回路盤に溶接した従来技術のチップカード用コネクタを示す図である。（ｂ）回路盤に溶接した従来技術のチップカード用コネクタを示す図である。
【図２】本発明のある実施形態によるチップカード用コネクタを示す図である。
【図３】本発明のある実施形態によるチップカード用コネクタを示す図である。
【図４】本発明のある実施形態によるチップカード用コネクタを示す図である。
【図５】本発明のある実施形態によるチップカード用コネクタを示す図である。
【図６】本発明のある実施形態によるチップカード用コネクタを示す図である。
【図７】本発明のある実施形態によるチップカード用コネクタを示す図である。
【図８】本発明のある実施形態によるチップカード用コネクタを示す図である。
【図９】本発明のある実施形態によるチップカード用コネクタを示す図である。
【図１０】本発明のもう一つの実施形態によるチップカード用コネクタを示す図である。
【図１１】本発明のもう一つの実施形態によるチップカード用コネクタを示す図である。
【図１２】本発明のもう一つの実施形態によるチップカード用コネクタを示す図である。
【図１３】本発明のもう一つの実施形態によるチップカード用コネクタを示す図である。
【図１４】本発明のもう一つの実施形態によるチップカード用コネクタを示す図である。
【図１５】本発明のもう一つの実施形態によるチップカード用コネクタを示す図である。
【図１６】本発明のもう一つの実施形態によるチップカード用コネクタを示す図である。
【図１７】本発明の一つの実施形態によるチップカード用コネクタを使用している移動ステーションに関するブロック図である。
【図１８】接続面から見たチップカードを表した図である。
【図１９】回路盤のチップカード用コネクタを表した図である。
【図２０】回路盤、チップカード用コネクタ、および取り付けたチップカードの配置を表した図である。
【発明を実施するための形態】
【００１４】
図１は、回路盤に鑞付けするように設計された従来技術のチップカード用コネクタであって、フレームＣ１および接続用バネＣ２を備えている。フレームの外側縁部における接続用バネＣ２の幅狭端部Ｃ２Ａは、回路盤の鑞付け領域に溶接するために曲げられている。フレームの開口Ｃ３内に位置する接続用バネＣ２の凸型スプーン形状の端部Ｃ２Ｂは、チップカードに接続するように上昇位置に配置されている。
【００１５】
図２から図９は、本発明の或る実施形態によるチップカード用コネクタを表している。図２はチップカード用コネクタを側方から見た側面図であり、図３は頂部から見た頂面図であり、図４は端部から見た端面図であり、および図５は側面透視図である。本発明によるチップカード用コネクタは、絶縁プラスチック製フレーム１と、コネクタを回路板に押圧するためのホルダ２、例えば把握用突起部と、金属製ボール３Ａと、フレーム１内において金属製ボール用に整形された開口３Ｂと、導電性接続用バネとを備えており、この導電性接続用バネは、金属製ボール３Ａを開口３Ｂに柔軟に支持する支持部分４Ａと、フレーム１に固定された固定部分４Ｂと、回路盤に対して押圧する押圧部分４Ｃとに分かれている。固定具は、前述した形状以外の形状、例えば挿入部、溝などのように整形されていてもよい。ホルダは、回路盤に接続用バネを鑞付けすることによって代用してもよい。
【００１６】
図６、図７、図８、および図９はそれぞれ、導電性ボール３Ａ、好ましくは金属製ボール、側方から柔軟に支持するように整形された開口３Ｂ、および開口３Ｂ内の接続用バネの金属製ボール３Ａを柔軟に支持する支持部分４Ａを表す頂面図、二つの端面図、さらに側面透視図である。しかしながら、接続用バネの支持部分４Ａの全体は、図６、図７および図８には示されていない。
【００１７】
ボール３Ａを接続用バネに対して緩めたり、固定したりすることができる。図７は、開口３Ｂ１が狭いことによって、ボール３Ａがボールベッド４ＡＡ内において緩く保持されていて、それによりボール３Ａは開口３Ｂ１を通って滑動できないようになっていることを示している。図８は、ボール３Ａを固定したときにボール３Ａが開口３Ｂ１の縁部によってのみ支持されている様子を示している。
【００１８】
図９は、接続用バネ４Ａ内に形成されたボールベッド４ＡＡと、例えば溶接部４ＡＢによってボールベッドに固定された金属製ボール３Ａとを示している。
【００１９】
図１０から図１６は、本発明の他の実施形態によるチップカード用コネクタを表している。図１０はチップカード用コネクタを側面から表す側面図であり、図１１は頂部から見た頂面図であり、図１２は端部から見た端面図であり、さらに図１３は側面透視図である。本発明によるチップカード用コネクタは、好ましくはプラスチック製フレーム５と、コネクタを回路盤に押圧するための把持用突起部６と、導電性接続用バネと、開口８とを備えている。導電性接続用バネは、可撓性を有する凸型接触部分７Ａと、フレーム５に固定された固定部分７Ｂと、回路盤に対して押圧している押圧部分７Ｃとに分けられており、開口８は、接続用バネの凸型接触部分７Ａ用に整形されていて接続用バネを側方から支持する。本実施形態の把持用突起部６を異なるように整形することができて、接続用バネを回路盤に鑞付けすることによって代用することができる。
【００２０】
図１４、図１５および図１６はそれぞれ、接続用バネの凸型接触部分７Ａと開口８とを詳細に拡大した頂面図、端面図、側面透視図である。接続用バネの凸型接触部分７Ａは、直線状であって下方向への屈曲部、好ましくは板状である板状端部７ＡＡと、側方でかつ下方向に屈曲する凸型翼状部７ＡＢと、好ましくは板状である板状フレーム７ＡＣとを有している。開口８は、接続用バネの端部７ＡＡとほぼ同一の幅を有していて側方向に端部７ＡＡを支持する幅狭部分８Ａと、翼状部７ＡＢのスパンの幅とほぼ同一の幅を有していて翼状部７ＡＢを側方向に支持する幅広部分８Ｂとを含んでいる。翼状部７ＡＢの両端を内側に屈曲させることによって、例えば翼状部７ＡＢに丸みをつけて、翼状部７ＡＢを縁部８Ｂに滑動させて縁部８Ｂの磨耗を避けることができる。
【００２１】
このことから、側面からのまたは側方向への支持作用は、接続用バネ４、７の長手方向を横切る方向を意味している。
【００２２】
図１７は、移動ステーション（ｍｏｂｉｌｅ  ｓｔａｔｉｏｎ）のブロック図を表しており、このブロック図内においては本発明によるチップカード用コネクタが使用されている。移動ステーションは、識別情報を読み込むためのプロセッサ９と、プロセッサ９のプログラムを保存するためのメモリ１０と、識別用カードに接続するためであって本発明に基づく識別用カード用コネクタ１１と、操作者のために示されるべき情報を表示するための表示装置１２と、ユーザのパスワードを入力するためのキーボード１３と、声を伝達させるための音声部１４と、無線通信網に接続するための送受信機１５とアンテナ１６とを備えている。
【００２３】
図１８は、接触側から見たチップカード１７を示している。接触領域１８がチップカード１７の表面上に存在していて、八つの小域Ａ、Ｂ、Ｃ、Ｄ、Ｅ、Ｆ、Ｇ、Ｈを有している。チップカード１７の右下縁部においては、角が切り取られているカット済みコーナが存在しており、このカット済みコーナによって、チップカード１７を常に正しい位置（ｒｉｇｈｔ  ｐｏｓｉｔｉｏｎ）に設置することができる。このタイプのカードに関しては、カードを他の位置に設置することができないように、前記コーナに対応する突起部が本発明によるコネクタの外側に配置されている。
【００２４】
図１９は、チップカード用コネクタの位置における回路盤１９を示している。チップカード用コネクタは、破線２０によって区切られた領域に押圧され、それにより、接続用バネの下方部分が導電性表面２１Ａから２１Ｈを押圧するようになる。
【００２５】
図２０は、チップカード用コネクタのフレーム１と、把持用突起部２と、接続用バネ接触部３Ａ、例えばボールと、チップカード１７と、回路盤１９と、装置の内側シールド２２とを備えた配置を表している。チップカード用コネクタは、装置の内側シールド２２と把持用突起部２とによって回路盤１９に押圧されている。
【００２６】
実施例として加入者の識別用カードを認識する本発明によるコネクタを、読み込み装置用の異なる種類の移動ステーションに適用することを実施例として検討してみる。本発明の一つの実施形態によるチップカードを、回路盤と移動ステーションのシールドとの間に設置し、それにより例えばシールド内の開口の縁部を用いてコネクタを回路盤に押し付けるようになる。従って、電気的接触部が回路盤の接触領域とチップカード用コネクタの接続用バネとの間に形成される。ほとんどの一般的な移動ステーションにおいては、加入者の識別用カードをヒンジ付きホルダ内に滑動させ、それによって、識別用カードが接続用バネに押圧される。本発明のコネクタによると、識別用カードをどちらの側からでも位置決めすることができ、それによって接続用バネの両側部における壁部が識別用カードを接続用バネに対して押圧するようになる。
【００２７】
金属製ボールを、他の材料から製造されていて導電性材料により被覆されたボールに置き換えることもできる。接続用バネの数を必要に応じて変更することができる。
【００２８】
接続用バネの、内側に屈曲した接触部分を他の形状、例えば、聖アンデレ十字のように整形するか、一側を屈曲させるか、またはレンズのような部分的な球体にすることもできる。しかしながら、チップカードの滑動特性と保持部分の安定性とが、湾曲した縁部とチップカード用コネクタのフレーム上の接触部分の支持体とによって保証されている限り、接触部分は周知の形状でなくてもよい。
【００２９】
チップカードを所定位置に保持するには、チップカード用コネクタに加え、好ましくは、従来技術のような特殊なホルダが必要である。しかしながら、本発明によると、ホルダによって、チップカードを側方から設置することができる。また、ホルダを、チップカード用コネクタの一体部分として形成することもできる。
【００３０】
本発明は、実施例として前述した実施形態に制限されることはなく、添付される特許請求の範囲によって形成される本発明の範囲から逸脱することなしに本発明の詳細部分を変更することができる。
【符号の説明】
【００３１】
１    絶縁プラスチックフレーム
２    把持用突起部
３Ａ    ボール
３Ｂ    開口
４Ａ    接続用バネ
４ＡＡ    ボールベッド
４ＡＢ    溶接
４Ｂ    固定部分
４Ｃ    押圧部分
５    フレーム
６    把持用突起部
７Ａ    凸型接触部分
７ＡＡ    板状端部
７ＡＢ    凸型翼状部
７ＡＣ    板状フレーム
７Ｂ    固定部分
７Ｃ    押圧部分
８    開口
９    プロセッサ
１０    メモリ
１１    カード用コネクタ
１２    表示装置
１３    キーボード
１４    音声部
１５    送受信機
１６    アンテナ
１７    チップカード
１８    接触領域
１９    回路盤
２０    破線
２１Ａ、Ｂ、Ｃ、Ｄ、Ｅ、Ｆ、Ｇ、Ｈ    導電性表面
２２    内側シールド
Ｃ１    フレーム
Ｃ２    接続用バネ
Ｃ２Ａ    幅狭端部
Ｃ２Ｂ    スプーン形状端部
Ｃ３    開口
【図１】
2010153392.tif 000003
【図２】
2010153392.tif 000004
【図３】
2010153392.tif 000005
【図４】
2010153392.tif 000006
【図５】
2010153392.tif 000007
【図６】
2010153392.tif 000008
【図７】
2010153392.tif 000009
【図８】
2010153392.tif 000010
【図９】
2010153392.tif 000011
【図１０】
2010153392.tif 000012
【図１１】
2010153392.tif 000013
【図１２】
2010153392.tif 000014
【図１３】
2010153392.tif 000015
【図１４】
2010153392.tif 000016
【図１５】
2010153392.tif 000017
【図１６】
2010153392.tif 000018
【図１７】
2010153392.tif 000019
【図１８】
2010153392.tif 000020
【図１９】
2010153392.tif 000021
【図２０】
2010153392.tif 000022
【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
絶縁性フレーム（１、５）と少なくとも一つの細長い導電性接続用バネ（４、７）とを具備したチップカード用コネクタであって、
前記接続用バネ（７）は、
下方に屈曲させた板状端部（７ＡＡ）、側方に位置していて下方に屈曲させた凸型翼状部（７ＡＢ）、および板状フレーム（７ＡＣ）を含む可撓性凸型接触部分（７Ａ）と、
前記フレーム（５）に固定された固定部分（７Ｂ）と、
回路盤（１９）に対して押圧する押圧部分（７Ｃ）と、
を具備し、
前記フレーム（１、５）は、前記接触部分が前記チップカード（１７）の平面方向に運動すること、および前記接続用バネの横断方向に運動することを妨げるための少なくとも一つの支持部分（３Ｂ、８Ａ、８Ｂ）を具備しているチップカード用コネクタ。
【請求項２】
前記チップカード用コネクタの前記フレーム（１、５）が、前記接続用バネ（４、７）に電気的に接触するために、コネクタを回路盤（１９）に押圧するよう整形されたホルダ（２、６）を備えている請求項１に記載のチップカード用コネクタ。
【請求項３】
前記接続用バネ（４）が、
前記チップカードの前記接触領域（１８）に接触するために少なくとも一つの導電性表面を有しているボール（３Ａ）およびボールベッド（４ＡＡ）を備えた可撓性を有する部分（４Ａ）と、
前記フレーム（１）に固定される固定部分（４Ｂ）と、
前記回路盤の前記接触領域において電気的接触部を形成するために前記回路盤に対して押圧されるべき押圧部分（４Ｃ）と、
を具備する請求項１に記載のチップカード用コネクタ。
【請求項４】
前記フレーム（１）が開口（３Ｂ）を具備しており、該開口（３Ｂ）は前記導電性ボールを側方から前記接続用バネの長手方向に支持する請求項３に記載のチップカード用コネクタ。
【請求項５】
少なくとも前記ボール（３Ａ）の表面が、金属から形成されていて前記接続用バネ（４Ａ）の前記ボールベッド（４ＡＡ）の上方に浮かぶように配置されており、それにより前記ボールを支持している前記フレーム（１）の前記開口（３Ｂ）が前記ボールの直径よりも少なくとも一方向に小さいようになっている請求項３に記載のチップカード用コネクタ。
【請求項６】
前記ボール（３Ａ）が金属から形成されていて鑞付け部（４ＡＢ）によって前記接続用バネ（４Ａ）の前記ボールベッド（４ＡＡ）に固定されている請求項３に記載のチップカード用コネクタ。
【請求項７】
前記フレーム（５）が、前記接続用バネの前記可撓性を有する凸型接触部分（７Ａ）用に整形された開口（８）を有しており、該開口（８）が、前記端部（７ＡＡ）の幅にほぼ等しくて前記接続用バネの前記端部を側方から支持する幅狭部分（８Ａ）と、前記翼状部（７ＡＢ）のスパンの幅にほぼ等しくて前記接続用バネの前記翼状部を側方から支持する幅広部分（８Ｂ）とを具備している請求項１に記載のチップカード用コネクタ。